(57)【要約】【課題】ペットが上り下りする遊具としての機能を兼ね備えた収納家具において、同機能を使用しないときの見栄えを良好にすると共に安全性を高める。【解決手段】高さ方向に複数の収納部２３〜２５を有する収納家具１０であって、収納部に実質的に収納される収納状態（図１，図２）と、この収納状態から引き出されて少なくとも一部が収納家具の前方に突出する突出状態（図３〜図５）との間で水平方向に回動可能に複数のボックス２６〜２８が設けられ、突出状態にあるこれら複数のボックス上を足場として猫などのペットが上り下りできるように構成されたことを特徴とする。ボックスは収納家具の左右の側板１２，１３に互い違いに、丁番を介して、たとえば９０度の角度範囲に亘って回転可能である。【選択図】図１
2011156056.tif 000002
【特許請求の範囲】
【請求項１】
収納部を有する収納家具において、収納部に実質的に収納される収納状態と、この収納状態から引き出されて少なくとも一部が収納家具の前方に突出する突出状態との間で水平方向に回動可能なボックスが高さ方向に複数設けられ、突出状態にあるこれら複数のボックス上を足場として猫などのペットが上り下りできるように構成されたことを特徴とする収納家具。
【請求項２】
複数のボックスが収納家具の左右の側板に互い違いに取り付けられることを特徴とする請求項１記載の収納家具。
【請求項３】
各ボックスは前記収納状態と前記突出状態との間の任意の角度位置で固定可能であることを特徴とする請求項１または２記載の収納家具。
【発明の詳細な説明】
【技術分野】
【０００１】
本発明は収納家具に関し、より詳しくは猫などのペットが上り下りする遊具の機能を兼ね備えた収納家具に関する。
【背景技術】
【０００２】
ペットブームの中で猫などのペットを室内で飼うことが多くなっていることから、ペットを遊ばせたり運動不足を解消させたりするための遊具が各種市販されている。しかしながら、このようなペット用遊具は室内スペースを多く必要とする。十分な室内スペースを確保することが困難な昨今の住宅事情では、いかに可愛いペットであるとしても、ペットだけのために遊具を設置することができない場合も多い。
【０００３】
このような背景において、下記特許文献１に、ペット用遊具の機能を兼ね備えた収納家具が提案されている。この収納家具にあっては、複数のステップ部材が、前面または側面に水平状態と垂直状態の間で開閉可能に設けられ、あるいは棚板の下に前後に進退可能に設けられている。ステップ部材を開いて家具表面から水平に突出させ、あるいは前方に引き出すことによって、ステップ部材がペットの足場となる。ステップ部材を閉じて家具表面に沿わせた垂直状態とし、あるいは棚板の下に収納させることによって、ステップ部材が邪魔にならず、通常の収納家具として使用することができる。
【先行技術文献】
【特許文献】
【０００４】
【特許文献１】実用新案登録第３１４３９８１号公報
【発明の概要】
【発明が解決しようとする課題】
【０００５】
特許文献１記載の収納家具は、ペット用遊具の機能を兼ね備えた収納家具としての有用性を有するものではあるが、幾つかの課題を抱えていた。一つは、ステップ部材を使用しないときも、ステップ部材が家具表面に取り付けられた状態で目視されるので、不使用時の見栄えが悪いものであった。また、地震などの振動によってステップ部材が不意に開いたり突出して飛び出すことがあり、危険性があった。
【０００６】
したがって、本発明が解決しようとする課題は、安全性が高く、ペット用遊具として使用しないときには通常の収納家具と変わらないような見栄えの良い収納家具を提供することである。
【課題を解決するための手段】
【０００７】
この課題を解決するため、請求項１に係る本発明は、収納部を有する収納家具において、収納部に実質的に収納される収納状態と、この収納状態から引き出されて少なくとも一部が収納家具の前方に突出する突出状態との間で水平方向に回動可能なボックスが高さ方向に複数設けられ、突出状態にあるこれら複数のボックス上を足場として猫などのペットが上り下りできるように構成されたことを特徴とする。
【０００８】
請求項２に係る本発明は、請求項１記載の収納家具において、複数のボックスが収納家具の左右の側板に互い違いに取り付けられることを特徴とする。
【０００９】
請求項３に係る本発明は、請求項１または２記載の収納家具において、各ボックスは前記収納状態と前記突出状態との間の任意の角度位置で固定可能であることを特徴とする。
【発明の効果】
【００１０】
請求項１に係る本発明によれば、収納体として利用可能なボックスを突出状態に引き出すことによって、猫などのペットが上り下りする際の足場として利用することができるので、ペット用遊具としての機能を持った収納家具として有用である。
【００１１】
請求項２に係る本発明によれば、互い違いに設けられたボックスを突出状態に引き出したときに、猫などのペットが上り下りする際の足場が左右互い違いに階段状に設けられることになるので、容易に上り下りすることができる。
【００１２】
請求項３に係る本発明によれば、ボックスを所定の回転可能角度範囲内の任意位置で固定することができるので、猫などのペットがボックスの上を足場として利用して移動したり飛び移ったりしてもボックスは不動に保持され、安全性が向上する。また、ボックスの内部に収納されたり天板上に載置された物があっても、振動でボックスが動くことがないので、物の落下を防止することができる。さらに、所定の回転可能角度範囲内の任意位置でボックスを固定することができるので、居住者が収納家具の近くを通る際に邪魔にならない程度にボックスを引き出すなどの位置調整を自在に行うことができる。
【００１３】
ボックスはそれ自体が収納体であるから、収納家具の内部に収納された状態にあるときはもちろん、突出状態にあってもボックスは収納体としての利用性を損なわない。加えて、ボックスを所定回転角度範囲内の任意位置で固定することができるから、デザイン性や利便性を考慮して様々な設計が可能である。たとえば、前面が開放された箱状のボックスにあっては、収納状態において開口側を収納装置の側面方向を向くように設けることによりボックス内の収納物を見せないようにしても良いし、開口側を収納装置の正面に向けて設けることにより収納物が見えるようにしてディスプレイとして利用しても良い。
【図面の簡単な説明】
【００１４】
【図１】本発明の一実施形態による収納家具の正面図である。
【図２】図１におけるＡ−Ａ断面図（ａ）およびそのＢ−Ｂ部分拡大図（ｂ）である。
【図３】この収納家具の各ボックスをそれぞれ最大突出位置まで回転させて引き出した状態の正面図である。
【図４】図３と同じ状態の右側面図である。
【図５】図３と同じ状態の平面図である。
【図６】本発明の他実施形態による収納家具の正面図である。
【図７】この収納家具の各ボックスをそれぞれ最大突出位置まで回転させて引き出した状態の正面図である。
【図８】図７と同じ状態の右側面図である。
【図９】図７と同じ状態の平面図である。
【発明を実施するための最良の形態】
【００１５】
以下に実施例を挙げて本発明を詳述する。
【実施例１】
【００１６】
図１〜図５を参照して本発明の一実施形態による収納家具１０について説明する。
【００１７】
この収納家具１０は、天板１１、左右側板１２，１３、背板１４および底板１５から構成される前面開放の箱体１６を有し、この箱体１６内に４枚の棚板１７，１８，１９，２０が適当間隔をおいて配置され、天板１１と棚板１７の間、棚板１７，１８の間、棚板１８，１９の間、棚板１９，２０の間および棚板２０と底板１５の間にそれぞれ収納部２１，２２，２３，２４，２５を形成している。そして、これら収納部のうち下３段の収納部２３，２４，２５において、棚板１８，１９，２０の直下にそれぞれボックス２６，２７，２８が回転可能に設けられている。また、最上段の収納部２１の上部には側板１２，１３間にパイプ２９が架設されている。
【００１８】
収納家具１０を構成する天板１１、左右側板１２，１３、背板１４、底板１５および棚板１７〜２０、また各ボックス２６〜２８を構成する天板、側板、背板および底板（いずれも符号なし）は、木質繊維板、合板、木削片板、単板積層板、無垢の木材、集成材などの木材から形成されている。パイプ２９はアルミやステンレスなどの金属材で形成しても良いし、収納家具１０全体としての統一感を持たせるために木製の棒材を使用しても良い。
【００１９】
この収納家具１０は、室内に設置される据え置き収納家具、壁に取り付けられる壁取付収納家具、壁面の厚みを利用した壁面収納家具などとして利用される。
【００２０】
この収納家具１０の大きさは、一例として、高さ１７６０ｍｍ、幅３７５ｍｍ、奥行き１２８ｍｍである。この場合において、最上段の棚板１７は幅３３５ｍｍ、厚み１５ｍｍ、奥行き１８０ｍｍ、他の棚板１８〜２０は幅と厚みが棚板１７と同じで奥行きが１１７ｍｍの寸法を有するものとすることができる。
【００２１】
各収納部の高さは、一例として、最上段の収納部２１が３９５ｍｍ、二段目の収納部２２が２３５ｍｍ、三段目および四段目の収納部２３，２４が３３５ｍｍ、最下段の収納部２５が３７０ｍｍであり、このような高さを有するように棚板１７〜２０がそれぞれ所定の高さ位置に設けられている。
【００２２】
各ボックス２６〜２８は該ボックスが設けられる収納部２３〜２５に収まる高さ／幅寸法を有しており、一例として、ボックス２６が高さ１５０ｍｍ、幅２３０ｍｍ、奥行き１３７ｍｍであり、ボックス２７，２８がいずれも高さ２５０ｍｍ、幅２５０ｍｍ、奥行き１３７ｍｍである。もちろん、すべてのボックス２６〜２８を同一の大きさとしても良い。
【００２３】
ボックスの奥行きについては、収納部の奥行き内に収まる寸法としても良いが、本実施形態のように、収納部の奥行きより大きい寸法を有するものとしても良い（図２参照）。このようにすることで、ボックスを収納部内に実質的に収納した状態においても、猫などのペットがボックスの前方突出部を足場として利用することができるようになり、さらに該前方突出部を広く取ることによりその上でくつろぐスペースを与えることもできる。また、利用者にとっては、ボックスを実質的に収納した状態においても、該前方突出部を物の載置スペースとして利用することができる。
【００２４】
また、パイプ２９は天板１１から５０ｍｍ程度離れた下方位置に配置されている。
【００２５】
棚板１７〜２０の奥行き寸法についてはすべて同一として収納家具１０の内部に収まるようにしても良い（棚板１８〜２０参照）が、上記の例のようにたとえば最上段の棚板１７については奥行き寸法を大きくして収納家具１０の前方に突出するように構成することができる（図２（ａ）参照）。このようにすることで、棚板１７上に乗った猫などのペットがくつろげるスペースを広く取ることができ、また、利用者にとっても物の載置スペースを十分に確保することができる。
【００２６】
棚板１７〜２０には保護材３６を取り付けることができる（棚板１７について図５参照）。保護材３６によって、猫などのペットが棚板に乗ったときに爪などで棚板に傷が付くことを防止すると共に、利用者が物などを置いたときの滑り止めとしても作用する。また、クッション性を有する保護材を取り付けることによって、棚板に乗った猫などのペットに対して快適な居心地を提供することができる。このような保護材としては、フェルト、布、ゴム、コルクボードなどを任意に使用することができ、接着剤や両面テープなどで棚板に取り付ける。面ファスナーなどを用いて取り外し・交換可能に保護材を取り付けても良い。
【００２７】
ボックス２６〜２８は、収納状態（図１，図２）から開く方向に回転して収納家具１０の前方に突出させた状態（図３〜図５）にしたときに、猫などのペットが移動（上り下り）するときに足場として利用されるものであるから、互い違いに配置されることが好ましい。この実施形態において、ボックス２６，２８は、その左側板が収納家具１０の左側板１２の内面に丁番（図示省略）で回動自在に取り付けられ、ボックス２７は、その右側板が収納家具１０の右側板１３の内面に丁番（図示省略）で回動自在に取り付けられている。
【００２８】
また、ペットが足場として利用して移動しやすくするために、ボックス突出状態（図３〜図５）において、上下に隣接するボックス間の幅方向の間隔（隣接する側板間の幅間隔）ａ（図３のａ１，ａ２）および高さ方向の間隔（天板間の高さ間隔）ｂ（図３のｂ１，ｂ２）は、ａ≦３００ｍｍ，ｂ≦５００ｍｍとすることが好ましい。この実施形態では、ａ１＝ａ２＝１０１ｍｍ，ｂ１＝３５０ｍｍ，ｂ２＝３５０ｍｍである。
【００２９】
最下段のボックス２８は、その上に猫などのペットが床から登りやすい高さ位置に設けられる必要があるため、ボックス２８の天板の高さ位置は床面から６００ｍｍ以下となるように取り付けられることが好ましい。この実施形態では、ボックス２８の天板は収納家具１０の下端から３７０ｍｍの高さ位置に設けられている（ｃ＝３７０ｍｍ）ので、室内に据え置くタイプの収納家具として使用される場合は、床からの高さも３７０ｍｍとなってペットが床から乗り移りやすい高さ位置に設けられることになる。壁掛け収納や壁厚収納として利用される場合は、床から２３０ｍｍ程度までの高さに取り付ければ、該取付状態においてボックス２８の天板の高さ位置が床から６００ｍｍ以下となるので、同様にペットが床から乗り移りやすいものとなる。
【００３０】
また、下段に位置するボックスの天板とその上段に位置するボックスの底板との間の高さ間隔ｄが小さすぎると、下段ボックスから上段ボックスにペットが乗り移ろうとするときに上段ボックスの下角部などにペットの体が衝突ないし接触して移動を妨げることがあるので、この高さ間隔ｄを１８０ｍｍ以上とすることが好ましい。この実施形態では、ボックス２７の天板とボックス２６の底板との間の高さ間隔ｄをｄ＝２１０ｍｍとしている。より多段にボックスを設ける場合にも、同様にして、下段ボックス天板と上段ボックス底板との間の高さ間隔ｄをｄ≧１８０ｍｍとする。
【００３１】
各ボックス２６〜２８の後方（背板側）は、収納家具１０の背板１４の内面（前面）に接して設けられるか、あるいは該背板内面との間に多少の隙間を残して設けられる。これにより、ボックスを勢い良く閉めたり、閉じた状態のボックスを前方から誤って強く押してしまったような場合でも、ボックスの背板が収納家具１０の背板１４に衝突してそれ以上の回動が阻止されるので、ボックスやボックスを取り付けている丁番（図示せず）の破損ないし破壊を防止することができる。
【００３２】
各ボックス２６〜２８の背板２６ａ〜２８ａは底板から立ち上がって天板まで届かない高さ位置が上端となるよう、ボックスの高さよりも低く形成されている（図２（ｂ），図４）。ボックスの背板を天板までの高さに設けた場合、ボックスを開く方向に回転して収納家具１０の前方に突出する状態（図３〜図５）にすると、ボックスの側板が正面を向くことになるので、収納家具１０の側方からは該ボックスの背板に隠れて収納物を確認することができない。ボックスの背板２６ａ〜２８ａを低く形成することにより、開いた状態においても、開放前面側と低い背板側の両方から収納物の有無や収納状態などを確認することができ、利便性の高いものとなる。この実施形態では、開いた状態においてボックス２６，２８とボックス２７とが反対を向くことになり、図４ではボックス２７は手前側に開放前面、向こう側に背板２７ａが示され、ボックス２６，２８は背板２６ａ，２８ａが手前側に示されている。
【００３３】
また、このようにボックスの背板を低く形成することにより、開いた状態として猫などのペットの遊具として使用されるときに、該背板の上端木口も足場として利用することができるものとなる。
【００３４】
ボックスの取付高さ位置は、天板１１／棚板１７〜２０／底板１５によって区画された収納部１４〜２５の高さ範囲内に収まるものであれば特に限定されないが、この実施形態のように、ボックス２６〜２８を棚板１８〜２０の直下に設けると、ボックスを開いたときに、該ボックスの天板とその直上の棚板とがわずかな段差を介して連続してＬ字状のスペースを形成する。したがって、猫などのペットが上に移動しやすくなると共に、くつろぐための広いスペースが確保される。また、利用者にとっても物を載置するスペースを広く確保することができる。
【００３５】
なお、棚板１７〜２０と同様に、各ボックス２６〜２８の天板上面にも保護材３６を取り付けることができる（図２（ｂ），図５）。その作用や材質、取付方法などについては棚板上の保護材について既述したと同様であるので、説明を割愛する。
【００３６】
各ボックス２６〜２８は、既述したように、収納家具１０の側板１２または１３に丁番（図示省略）で回動自在に取り付けられるが、さらに、ボックスの底板下面と側板１２，１３とをステー３０で接続して、ボックス回転時の衝撃を和らげると共に、ボックスの回転角度を所定角度に規制するように構成することが好ましい。この実施形態では、各ボックス２６〜２８は、収納家具１０の各収納部２３〜２５に収納される収納状態（図１，図２）と、この収納状態から開いて収納家具１０の前方に突出させた状態（図３〜図５）との間で約９０度の角度範囲において回動自在とされ、且つ、該突出状態を保持するようにロック可能とされている。
【００３７】
ボックス２６と側板１２とに取り付けられるステー３０について、図２（ｂ）を参照して詳述する。ステー本体３１は、その一端が側板１２に対して固定金具３２を介して回動自在に取り付けられ、ボックス２６の底板２６ａ下面に沿って延長している。また、ボックス底板２６ａの下面の所定箇所には台座３３がネジなど（図示省略）で固着され、この台座３３に対して回動自在に設けられる突起３４が下方に突出している。突起３４には軸と直交する方向に貫通する貫通穴（図示省略）が形成され、この貫通穴をステー本体３１がスライド可能に挿通している。また、突起３４の下端から貫通穴に達する軸方向のネジ穴（図示省略）が形成され、このネジ穴に調整ネジ３５が螺合している。調整ネジ３５の先端は、貫通穴を通るステー本体３１の裏面に係合可能である。
【００３８】
なお、ステー本体３１の裏面側には、幅中央を長さ方向に延長する凸部（図示省略）が形成されていて断面逆凸状を有しており、ステー本体３１を挿通させる突起３４の貫通穴もこのステー本体３１の断面形状に合致した断面形状を有している。そして、ステー本体３１の先端部３１ａにおいて、裏面側凸部はストッパーとしての作用を果たすよう幅広に形成されている。
【００３９】
上記構成により、収納状態にあるボックス２６を丁番を介して開く方向に回転させると、ステー本体３１が突起３４内をスライドしながら回転して、ボックス２６の回転をアシストする。ボックス２６が約９０度開いたときに、ステー本体３１の先端部３１ａに形成された裏面側凸部幅広部が突起３４の貫通穴に入り込むことが阻止されるので、この位置で止まり、それ以上の回転を阻止する。ボックスのそれ以上の回転が阻止される停止位置（最大突出位置）はステー本体３１の長さや取付位置などによって任意に設定することができ、この実施形態で設定した９０度のほか、たとえば１８０度や２７０度まで開くように設定しても良い。
【００４０】
なお、調整ネジ３５の先端がステー本体３１の裏面に係合可能であるため、これを回転させることによりステー本体３１のスライド移動に対する摩擦抵抗を調整し、ボックス回転時のブレーキ力を調整することができる。また、調整ネジ３５を強く締め付ければ、設定された回転角度範囲内の任意の位置でボックスを固定することが可能である。
【００４１】
上記したようなステー３０は公知であり、たとえば株式会社ムラコシ精工から販売されている扉金具「ＢＳＴ−１  ブレーキ付ダウンステー」を使用することができる。
【００４２】
収納家具１０の最上段収納部２１において天板１１の直下に設けられたパイプ２９は、上着やネクタイ、ベルトなどを吊り下げて収納するためのハンガーパイプとして利用することができるほか、猫などのペットの遊具となるおもちゃ類を吊したり、あるいはカーテンを取り付けて最上段収納部２１をペット用の寝室として利用することも可能である。
【実施例２】
【００４３】
図６〜図９を参照して本発明の他実施形態による収納家具４０について説明する。
【００４４】
この収納家具４０は、天板４１、左右側板４２，４３、背板４４および底板４５から構成される前面開放の箱体４６を有し、この箱体４６内に２枚の棚板４７，４８が適当間隔をおいて配置され、天板４１と棚板４７の間、棚板４７，４８の間および棚板４８と底板４５の間にそれぞれ収納部４９，５０，５１を形成している。そして、これら収納部４９，５０，５１においてそれぞれボックス５２，５３，５４が回転可能に設けられている。
【００４５】
一例として、収納家具４０は高さ９９０ｍｍ、幅３７５ｍｍ、奥行き１２８ｍｍ、天板の奥行き１８０ｍｍであり、棚板４７，４８はいずれも幅３３５ｍｍ、厚み１５ｍｍ、奥行き１８０ｍｍであって、収納部４９，５０が高さ３３５ｍｍ、収納部５１が高さ２６０ｍｍとなるような高さ位置に設けられている。
【００４６】
この実施形態では、最上段の収納部４９に設けられるボックス５２については収納部４９の高さ寸法に対して比較的小さな高さ寸法を有するものとして収納部４９の中間の高さに設け、他のボックス５３，５４についてはそれぞれ収納部５０，５１と略同一の高さ寸法を有するものとしている。上記例の寸法を有する収納家具４０において、これらボックスの寸法は、最上段のボックス５２が高さ１５０ｍｍ，幅２３０ｍｍ，奥行き１３７ｍｍ、中段のボックス５３が高さ３２５ｍｍ，幅２５０ｍｍ，奥行き１３７ｍｍ、最下段のボックス５４が高さ２５０ｍｍ，幅２５０ｍｍ，奥行き１３７ｍｍである。
【００４７】
この実施形態において、最上段のボックス５２は、収納家具４０の左側板４２に丁番５５（図７，図８）で約１８０度の角度範囲に亘って回動自在に取り付けられている。また、この最上段のボックス５２は、天板、左右側板および底板を組み立ててなる箱体の前後開放面にそれぞれ扉５２ａを設けて構成されており、ボックス５２がどのような回転角度位置にあっても前方または後方の扉５２ａを開いて内部の収納物を取り出しやすいようにしている。前後の扉５２ａは全体の統一感を損なわないように木質材で形成しても良いが、これを透明アクリルやガラスなどの透明材料で形成した場合は、ボックス５２が閉じた状態にあるときでも、内部の収納物や収納状態を容易に確認することができる。
【００４８】
この実施形態において、ボックス５３は、天板、左右側板、底板および背板からなる前面開放の箱体であり、収納家具４０の右側板４３にピボット（図示省略）で約９０度の角度範囲に亘って回動自在に取り付けられ、収納家具１０の収納部５０に収納された状態においては開口方向が他方側の側板４２を向くように設けられている。このボックス５３の左右側板は木質材で形成されているので、収納状態においてはボックス内部が見えない。
【００４９】
この実施形態において、ボックス５４は、天板、左右側板および底板からなる前後開放の箱体であり、猫などのペットがボックス５４内をくぐり抜けて遊んだりボックス５４内で休んだりすることができるようにしている。このボックス５４は、収納家具４０の左側板４２にピボット（図示省略）で約９０度の角度範囲に亘って回動自在に取り付けられている。
【００５０】
ボックス５３，５４の回転角度を規制するためにステー（３０）が用いられるが、これについては実施例１について既述したので、図示および説明を省略する。
【００５１】
また、実施例１において既述したように、この実施形態による収納家具４０においても、天板４１や棚板４７，４８の表面、またボックス５２〜５４の天板表面には任意に保護材５６を取り付けて、傷付き防止、滑り止め、クッション作用の付与などを図ることができる（図９）。保護材５６の材質や取付方法などについては、実施例１において保護材３６について既述したと同様であるので、説明を省略する。
【００５２】
なお、この実施形態では、既述したように天板４１の奥行きが収納家具４０の奥行きより大きいものとされ、したがって天板４１の前端が収納家具４０の前方に突出している。このようにすることで、天板４１上に猫などのペットがくつろげるスペースを広く取ることができ、また、利用者にとっても物などを置くスペースを十分に確保することができる。
【００５３】
上記において本発明を例示的に説明したが、本発明はこれら実施形態に限定されるものではなく、特許請求の範囲の記載によって規定される発明の範囲内において多種多様に変更して実施することができる。
【００５４】
たとえば、収納部内に回動自在に設けられるボックスの天板は、収納部（収納家具）の奥行きと同一であってもそれよりも大きな奥行き寸法を有するものであっても良く（図２参照）、また、その幅寸法についても、収納部の幅内であればボックスの側板からはみ出るような幅広寸法としても良い。このようにボックス天板の奥行きや幅を大きくすることにより、ボックス突出状態において、猫などのペットが移動する際の足場や休息場所などとして広いスペースを確保することができ、利用者にとってもその上に物を載置するスペースを広く取ることができる。
【００５５】
さらに、ボックスの全体を収納部より奥行きの大きな寸法に形成しても良い。これにより、ボックス突出状態において、猫などのペットが移動する際の足場や休息場所などとしてボックス表面に広いスペースを確保することができ、また利用者にとってもその上に物を載置するスペースを広く取ることができるだけでなく、ボックス内部にペットが入り込んでくつろげる空間を与えることができる。
【００５６】
また、ボックスを収納状態と突出状態との間で回転させるときの操作を容易にするために、ボックスに取手を設けることができる。例として、ボックス天板の表面や側面の木口に溝を形成して取手としても良いし、コ字形状などの取手をボックス天板表面や側面の木口に取り付けても良い。
【００５７】
また、ボックスは収納家具における収納部に任意に設けられるものであり、すべての収納部に設けても良い（実施例２）し、任意に選択された収納部のみに設けても良い（実施例１）。後者の場合、猫などのペットが上り下りする際の足場として利用しやすいように、高さ方向に連続する複数の収納部にボックスを互い違いに設けることが好ましい。
【００５８】
収納家具には、収納内部を幅方向に仕切る一または二以上の仕切板が左右側板間において天板と底板との間に配置される構成のものがあるが、本発明はこのような構成の収納家具にも適用することができる。この場合、ボックスは側板と仕切板との間、また仕切板同士の間で、互い違いに配置して、猫などのペットが足場として利用しやすくすることが好ましい。また、天板や底板を使用しないタイプの収納家具にも本発明を適用することが可能である。
【００５９】
本発明が適用される収納家具およびボックスの寸法は、既述した条件を満たす限りにおいて特に限定されるものではないが、一般に、収納家具については高さ４００〜２１００ｍｍ，幅３５０〜１６００ｍｍ、奥行き１２０〜６００ｍｍであり、ボックスについては高さ１５０〜５５０ｍｍ、幅１５０〜５００ｍｍ、奥行き１００〜６００ｍｍである。
【符号の説明】
【００６０】
１０  収納家具
１１  天板
１２，１３  側板
１４  背板
１５  底板
１６  箱体
１７，１８，１９，２０  棚板
２１，２２，２３，２４，２５  収納部
２６，２７，２８  ボックス
２６ａ，２７ａ，２８ａ  ボックスの背板
２９  パイプ
３０  ステー
３１  ステー本体
３２  取付金具
３３  台座
３４  突起
３５  調整ネジ
３６  保護材
４０  収納家具
４１  天板
４２，４３  側板
４４  背板
４５  底板
４６  箱体
４７，４８  棚板
４９，５０，５１  収納部
５２，５３，５４  ボックス
５５  丁番
５６  保護材
【図１】
2011156056.tif 000003
【図２】
2011156056.tif 000004
【図３】
2011156056.tif 000005
【図４】
2011156056.tif 000006
【図５】
2011156056.tif 000007
【図６】
2011156056.tif 000008
【図７】
2011156056.tif 000009
【図８】
2011156056.tif 000010
【図９】
2011156056.tif 000011